(57)【要約】【課題】ネットワークデータ伝送を処理するための方法および装置【解決手段】ネットワーク内の複数のネットワークアクセスノードのうちの第１のネットワークアクセスノードを通してネットワークへのアクセスを提供するための方法および装置を説明する。各ネットワークアクセスノードは、ネットワーク上で固有であるネットワークアドレスを関連付けられており、第１のネットワークアクセスノードは、第１のネットワークアドレスを関連付けられている。第１のコンピュータが第１のネットワークアクセスノードに接続されている状態で、第１のネットワークアドレスを第１のコンピュータに関連付けることによって、ネットワークへのアクセスが提供される。次いで、第１のコンピュータに関連付けられた伝送をモニタし、アドレス情報を決定する。次いで、アドレス情報に応じて伝送を処理する。【選択図】図７
2004510358.tif 000002
【特許請求の範囲】
【請求項１】
複数のグローバル固有ＩＰアドレスを使用しているネットワーク内の複数のネットワークアクセスノードのうちの第１のノードを通して、第１のコンピュータにインターネットアクセスを提供する方法であって、前記ネットワークアクセスノードは、それぞれ、前記ネットワーク上で固有なネットワークアドレスを関連付けられており、前記第１のネットワークアクセスノードは、第１のネットワークアドレスを関連付けられており、前記方法は、
前記第１のコンピュータが前記第１のネットワークアクセスノードに接続している状態で、前記第１のネットワークアドレスを前記第１のコンピュータに関連付けることによって、前記ネットワークへのアクセスを提供する動作と、
インターネットトランザクションを実施するために、前記グローバル固有ＩＰアドレスのうちの第１のアドレスを前記第１のネットワークアドレスに関連付ける動作と、
前記インターネットトランザクションに関連付けられた伝送をモニタし、アドレス情報を決定する動作と、
前記アドレス情報に応じて前記伝送を処理する動作と、
前記インターネットトランザクションの終了時に、前記第１のグローバル固有ＩＰアドレスを前記第１のネットワークアドレスから切り離し、前記第１のグローバル固有ＩＰアドレスを、前記ネットワークアドレスのうちの任意のアドレスへの関連付けに使用できるようにする動作と
を備える方法。
【請求項２】
請求項１に記載の方法であって、
前記第１のコンピュータは、内部ＩＰアドレスを有し、前記第１のコンピュータへの前記第１のネットワークアドレスの関連付けは、前記第１のコンピュータの前記内部ＩＰアドレスを前記第１のネットワークアドレスに変換することを含む、方法。
【請求項３】
請求項１に記載の方法であって、
前記第１のコンピュータは、内部ＩＰアドレスを有しておらず、前記第１のコンピュータへの前記第１のネットワークアドレスの関連付けは、前記第１のネットワークアドレスを前記第１のコンピュータに割り当てることを含む、方法。
【請求項４】
請求項１に記載の方法であって、
前記第１のコンピュータへの前記第１のグローバル固有ＩＰアドレスの関連付けは、ネットワークアドレス変換プロトコルを利用することを含む、方法。
【請求項５】
請求項４に記載の方法であって、
前記複数のグローバル固有ＩＰアドレスは、複数のクラスＡのＩＰアドレス、複数のクラスＢのＩＰアドレス、または複数のクラスＣのＩＰアドレスのいずれかからなるプールを備える、方法。
【請求項６】
請求項１に記載の方法であって、
前記ネットワークは、ローカルエリアネットワークを備え、前記第１のグローバル固有ＩＰアドレスの関連付けおよび切り離しは、前記ローカルエリアネットワークに関連付けられたヘッドエンドによって完了する、方法。
【請求項７】
請求項１に記載の方法であって、
前記ネットワークは、広域ネットワークを備え、前記第１のグローバル固有ＩＰアドレスの関連付けおよび切り離しは、前記広域ネットワーク上のリモートサーバによって完了する、方法。
【請求項８】
請求項１に記載の方法であって、
前記第１のコンピュータへの前記第１のネットワークアドレスの関連付けは、前記第１のネットワークアクセスノードによって完了する、方法。
【請求項９】
請求項１に記載の方法であって、
前記ネットワークの部分は、１対の導体を備え、前記方法は、さらに、前記１対の導体において半二重のデータと標準の電話信号とを実質的に同時に伝送する動作を備える、方法。
【請求項１０】
請求項９に記載の方法であって、
前記半二重データの伝送は、前記標準電話信号が伝送される第２の周波数を大幅に上回る第１の周波数で前記半二重データを伝送することを含む、方法。
【請求項１１】
請求項１に記載の方法であって、
前記伝送のモニタリングおよび処理は、前記第１のネットワークアクセスノードによって完了する、方法。
【請求項１２】
請求項１に記載の方法であって、
前記伝送のモニタリングは、前記伝送に関連付けられたＨＴＭＬストリングを構文解析することを含む、方法。
【請求項１３】
請求項１に記載の方法であって、
前記伝送のモニタリングは、前記伝送に関連付けられたネットワーク層情報をモニタすることを含む、方法。
【請求項１４】
請求項１に記載の方法であって、
前記伝送のモニタリングは、前記伝送に関連付けられた複数のネットワーク通信プロトコル層のうちの任意の層をモニタすることを含む、方法。
【請求項１５】
請求項１に記載の方法であって、
前記伝送の処理は、前記伝送が提携に対応している場合に前記伝送に提携タグを関連付けることを含む、方法。
【請求項１６】
請求項１５に記載の方法であって、
前記提携タグの関連付けは、前記伝送に関連付けられたＨＴＭＬストリングに前記提携タグを付加することを含む、方法。
【請求項１７】
請求項１に記載の方法であって、
前記伝送の処理は、前記第１のコンピュータで表示するためにコンテンツを生成することを含む、方法。
【請求項１８】
請求項１７に記載の方法であって、
前記伝送は第１のエンティティに関し、前記コンテンツもまた前記第１のエンティティに関する、方法。
【請求項１９】
請求項１７に記載の方法であって、
前記伝送は第１のエンティティに関し、前記コンテンツは前記第１のエンティティと競争している第２のエンティティに関する、方法。
【請求項２０】
請求項１７に記載の方法であって、さらに、
前記第１のコンピュータ上に前記コンテンツをポップアップウィンドウの形で表示する動作を備える方法。
【請求項２１】
請求項１７に記載の方法であって、さらに、
前記伝送に対応している少なくとも１枚のＨＴＭＬページを取り囲むフレームの形で前記第１のコンピュータ上に前記コンテンツを表示する動作を備える方法。
【請求項２２】
請求項１に記載の方法であって、
前記伝送の処理は、前記伝送を処理のためにサーバにリダイレクトすることを含む、方法。
【請求項２３】
請求項２２に記載の方法であって、
前記伝送の処理は、前記第１のコンピュータ上に表示するためにＨＴＭＬページをフレーミングすることを含む、方法。
【請求項２４】
請求項２２に記載の方法であって、
前記伝送の処理は、ＨＴＭＬページとともに前記第１のコンピュータ上に表示するポップアップウィンドウを生成することを含む、方法。
【請求項２５】
ネットワーク内の複数のネットワークアクセスノードのうちの第１のノードを通して、前記ネットワークへのアクセスを提供する方法であって、前記ネットワークアクセスノードは、それぞれ、前記ネットワーク上で固有なネットワークアドレスを関連付けられており、前記第１のネットワークアクセスノードは、第１のネットワークアドレスを関連付けられており、前記方法は、
前記第１のコンピュータが前記第１のネットワークアクセスノードに接続されている状態で、前記第１のネットワークアドレスを第１のコンピュータに関連付けることによって、前記ネットワークへのアクセスを提供する動作と、
前記第１のコンピュータに関連付けられた伝送をモニタし、アドレス情報を決定する動作と、
前記アドレス情報に応じて前記伝送を処理する動作と
を備える方法。
【請求項２６】
請求項２５に記載の方法であって、
前記第１のコンピュータは、内部ＩＰアドレスを有し、前記第１のコンピュータへの前記第１のネットワークアドレスの関連付けは、前記第１のコンピュータの前記内部ＩＰアドレスを前記第１のネットワークアドレスに変換することを含む、方法。
【請求項２７】
請求項２５に記載の方法であって、
前記第１のコンピュータは、内部ＩＰアドレスを有しておらず、前記第１のコンピュータへの前記第１のネットワークアドレスの関連付けは、前記第１のネットワークアドレスを前記第１のコンピュータに割り当てることを含む、方法。
【請求項２８】
請求項２５に記載の方法であって、
前記ネットワークは、ローカルエリアネットワークを備え、前記関連付けは、前記ローカルエリアネットワークに関連付けられたヘッドエンドによって完了する、方法。
【請求項２９】
請求項２５に記載の方法であって、
前記ネットワークは、広域ネットワークを備え、前記関連付けは、前記広域ネットワークを制御するリモートサーバによって完了する、方法。
【請求項３０】
請求項２５に記載の方法であって、
前記関連付けは、前記第１のネットワークアクセスノードによって完了する、方法。
【請求項３１】
請求項２５に記載の方法であって、
前記ネットワークの部分は、１対の導体を備え、前記方法は、さらに、前記１対の導体において半二重のデータと標準の電話信号とを実質的に同時に伝送する動作を備える、方法。
【請求項３２】
請求項３１に記載の方法であって、
前記半二重データの伝送は、前記標準電話信号が伝送される第２の周波数を大幅に上回る第１の周波数で前記半二重データを伝送することを含む、方法。
【請求項３３】
請求項２５に記載の方法であって、
前記伝送のモニタリングおよび処理は、前記第１のネットワークアクセスノードによって完了する、方法。
【請求項３４】
請求項２５に記載の方法であって、
前記伝送のモニタリングは、前記伝送に関連付けられたＨＴＭＬストリングを構文解析することを含む、方法。
【請求項３５】
請求項２５に記載の方法であって、
前記伝送のモニタリングは、前記伝送に関連付けられたネットワーク層情報をモニタすることを含む、方法。
【請求項３６】
請求項２５に記載の方法であって、
前記伝送のモニタリングは、前記伝送に関連付けられた複数のネットワーク通信プロトコル層のうちの任意の層をモニタすることを含む、方法。
【請求項３７】
請求項２５に記載の方法であって、
前記伝送の処理は、前記伝送が提携に対応している場合に前記伝送に提携タグを関連付けることを含む、方法。
【請求項３８】
請求項３７に記載の方法であって、
前記提携タグの関連付けは、前記伝送に関連付けられたＨＴＭＬストリングに前記提携タグを付加することを含む、方法。
【請求項３９】
請求項２５に記載の方法であって、
前記伝送の処理は、前記第１のコンピュータで表示するためにコンテンツを生成することを含む、方法。
【請求項４０】
請求項３９に記載の方法であって、
前記伝送は第１のエンティティに関し、前記コンテンツもまた前記第１のエンティティに関する、方法。
【請求項４１】
請求項３９に記載の方法であって、
前記伝送は第１のエンティティに関し、前記コンテンツは前記第１のエンティティと競争している第２のエンティティに関する、方法。
【請求項４２】
請求項３９に記載の方法であって、さらに、
前記第１のコンピュータ上に前記コンテンツをポップアップウィンドウの形で表示する動作を備える方法。
【請求項４３】
請求項３９に記載の方法であって、さらに、
前記伝送に対応している少なくとも１枚のＨＴＭＬページを取り囲むフレームの形で前記第１のコンピュータ上に前記コンテンツを表示する動作を備える方法。
【請求項４４】
請求項２５に記載の方法であって、
前記伝送の処理は、前記伝送を処理のためにサーバにリダイレクトすることを含む、方法。
【請求項４５】
請求項４４に記載の方法であって、
前記伝送の処理は、前記第１のコンピュータ上に表示するためにＨＴＭＬページをフレーミングすることを含む、方法。
【請求項４６】
請求項４４に記載の方法であって、
前記伝送の処理は、ＨＴＭＬページとともに前記第１のコンピュータ上に表示するポップアップウィンドウを生成することを含む、方法。
【請求項４７】
複数のグローバル固有ＩＰアドレスを使用している複数のネットワーク内の複数のネットワークアクセスノードのうちの第１のノードを通して、第１のコンピュータにインターネットアクセスを提供する方法であって、前記ネットワークアクセスノードは、それぞれ、前記複数のネットワークにおいて固有なネットワークアドレスを関連付けられており、前記第１のネットワークアクセスノードは、第１のネットワークアドレスを関連付けられており、前記方法は、
前記グローバル固有ＩＰアドレスがリモートサーバに関連付けられている状態で、前記複数のネットワークを前記リモートサーバと相互に接続することによって、広域ネットワークを形成する動作と、
前記第１のコンピュータが前記第１のネットワークアクセスノードに接続している状態で、前記第１のネットワークアドレスを前記第１のコンピュータに関連付ける動作と、
インターネットトランザクションを実施するために、前記グローバル固有ＩＰアドレスのうちの第１のアドレスを前記第１のネットワークアドレスに関連付ける動作と、
前記インターネットトランザクションに関連付けられた伝送をモニタし、アドレス情報を決定する動作と、
前記アドレス情報に応じて前記伝送を処理する動作と、
前記インターネットトランザクションの終了時に、前記第１のグローバル固有ＩＰアドレスを前記第１のネットワークアドレスから切り離し、前記第１のグローバル固有ＩＰアドレスを、前記ネットワークアドレスのうちの任意のネットワークアドレスへの関連付けに使用できるようにする動作と
を備える方法。
【請求項４８】
複数のネットワーク内の複数のネットワークアクセスノードのうちの第１のノードを通して、前記複数のネットワークへのアクセスを提供する方法であって、前記ネットワークアクセスノードは、それぞれ、前記複数のネットワークにおいて固有なネットワークアドレスを関連付けられており、前記第１のネットワークアクセスノードは、第１のネットワークアドレスを関連付けられており、前記方法は、
前記複数のネットワークをリモートサーバと相互に接続し、広域ネットワークを形成する動作と、
前記第１のコンピュータが前記第１のネットワークアクセスノードに接続されている状態で、前記第１のネットワークアドレスを第１のコンピュータに関連付けることによって、前記広域ネットワークへのアクセスを提供する動作と、
前記第１のコンピュータに関連付けられた伝送をモニタし、アドレス情報を決定する動作と、
前記アドレス情報に応じて前記伝送を処理する動作と
を備える方法。
【請求項４９】
ネットワークであって、
それぞれが、前記ネットワーク上で固有なネットワークアドレスを関連付けられた複数のネットワークアクセスノードであって、各ネットワークアクセスノードは、前記関連付けられたネットワークアドレスを、接続されたコンピュータに関連付けるように動作可能なプロセッサを含むことによって、前記ネットワークへのアクセスを前記コンピュータに提供し、各プロセッサは、さらに、前記コンピュータに関連付けられた伝送をモニタしてアドレス情報を決定し、前記アドレス情報に応じて前記伝送を処理するように動作可能である、複数のネットワークアクセスノードと、
前記ネットワークアクセスノードを相互に接続するためのヘッドエンドモジュールと
を備えるネットワーク。
【請求項５０】
広域ネットワークであって、
それぞれが複数のネットワークアクセスノードを備える複数のネットワークであって、各ネットワークアクセスノードは、前記複数のネットワークにおいて固有なネットワークアドレスを関連付けられ、各ネットワークアクセスノードは、前記関連付けられたネットワークアドレスを、接続されたコンピュータに関連付けるように動作可能なプロセッサを含むことによって、前記広域ネットワークへのアクセスを前記コンピュータに提供し、各プロセッサは、さらに、前記コンピュータに関連付けられた伝送をモニタしてアドレス情報を決定し、前記アドレス情報に応じて前記伝送を処理するように動作可能である、複数のネットワークと、
前記複数のネットワークを相互に接続して前記広域ネットワークを形成するためのリモートサーバと
を備える広域ネットワーク。
【請求項５１】
ネットワークへのアクセスを提供するためのネットワークアクセスノードであって、
前記ネットワークアクセスノードは、前記ネットワークの一部を占め、前記ネットワーク上で固有なネットワークアドレスを関連付けられ、接続回路とプロセッサとを備え、前記プロセッサは、前記接続回路を通して前記ネットワークアクセスノードにコンピュータが接続された状態で、前記コンピュータに前記ネットワークアドレスを関連付けることによって、前記ネットワークへのアクセスを提供するように動作可能であり、各プロセッサは、さらに、前記コンピュータに関連付けられた伝送をモニタしてアドレス情報を決定し、前記アドレス情報に応じて前記伝送を処理するように動作可能である、ネットワークアクセスノード。
【請求項５２】
請求項５１に記載のネットワークアクセスノードであって、
前記ネットワークアクセスノードに接続された前記ネットワークの一部は、１対の導体を備え、前記ネットワークアクセスノードは、前記１対の導体において半二重のデータと標準の電話信号とを実質的に同時に伝送するための伝送回路を備える、ネットワークアクセスノード。
【請求項５３】
請求項５２に記載のネットワークアクセスノードであって、
前記伝送回路は、前記標準電話信号が伝送される第２の周波数を大幅に上回る第１の周波数で前記半二重（データ）を送受信するように動作可能である、ネットワークアクセスノード。
【請求項５４】
請求項５１に記載のネットワークアクセスノードであって、
前記接続回路は、標準的な電話用ジャックに接続するように構成された第１の接続回路と、電話に接続するためのＲＪ−１１ポートと、イーサネットポートとを備える、ネットワークアクセスノード。
【請求項５５】
請求項５４に記載のネットワークアクセスノードであって、
前記接続回路は、さらに、ユニバーサルシリアルバス（ＵＳＢ）ポートを備え、前記ネットワークアクセスノードは、前記ＵＳＢポートを通して受信された信号を、前記Ｈｏｍｅ　ＰＮＡ規格にしたがった伝送のためにイーサネット信号に変換するように動作可能である、ネットワークアクセスノード。
【請求項５６】
請求項５４に記載のネットワークアクセスノードであって、
前記接続回路は、さらに、デジタルオーディオ信号、ビデオ信号、および情報サービスデータのうちの任意のデータを受信するためのデジタルデータポートを備える、ネットワークアクセスノード。
【請求項５７】
請求項５１に記載のネットワークアクセスノードであって、
前記コンピュータは、内部ＩＰアドレスを有し、前記プロセッサは、前記コンピュータの前記内部ＩＰアドレスを前記ネットワークアドレスに変換することによって、前記ネットワークアドレスを前記コンピュータに関連付けるように動作可能である、ネットワークアクセスノード。
【請求項５８】
請求項５１に記載のネットワークアクセスノードであって、
前記コンピュータは、内部ＩＰアドレスを有さず、前記プロセッサは、前記ネットワークアドレスを前記コンピュータに割り当てることによって、前記ネットワークアドレスを前記コンピュータに関連付けるように動作可能である、ネットワークアクセスノード。
【請求項５９】
請求項５１に記載のネットワークアクセスノードであって、
前記プロセッサは、前記伝送に関連付けられたＨＴＭＬストリングを構文解析することによって、前記伝送をモニタするように動作可能である、ネットワークアクセスノード。
【請求項６０】
請求項５１に記載のネットワークアクセスノードであって、
前記プロセッサは、前記伝送に関連付けられたネットワーク層情報をモニタすることによって、前記伝送をモニタするように動作可能である、ネットワークアクセスノード。
【請求項６１】
請求項５１に記載のネットワークアクセスノードであって、
前記プロセッサは、前記伝送に関連付けられた複数のネットワーク通信プロトコル層のうちの任意の層をモニタすることによって、前記伝送をモニタするように動作可能である、ネットワークアクセスノード。
【請求項６２】
請求項５１に記載の方法であって、
前記プロセッサは、前記伝送が提携に対応している場合に前記伝送に提携タグを関連付けることによって、前記伝送を処理するように動作可能である、ネットワークアクセスノード。
【請求項６３】
請求項６２に記載のネットワークアクセスノードであって、
前記プロセッサは、前記伝送に関連付けられたＨＴＭＬストリングに前記提携タグを付加することによって、前記提携タグを関連付けるように動作可能である、ネットワークアクセスノード。
【請求項６４】
請求項５１に記載のネットワークアクセスノードであって、
前記プロセッサは、前記コンピュータ上で表示するためにコンテンツを生成することによって、前記伝送を処理するように動作可能である、ネットワークアクセスノード。
【請求項６５】
請求項６４に記載のネットワークアクセスノードであって、
前記伝送は第１のエンティティに関し、前記コンテンツもまた前記第１のエンティティに関する、ネットワークアクセスノード。
【請求項６６】
請求項６４に記載のネットワークアクセスノードであって、
前記伝送は第１のエンティティに関し、前記コンテンツは前記第１のエンティティと競争している第２のエンティティに関する、ネットワークアクセスノード。
【請求項６７】
請求項６４に記載のネットワークアクセスノードであって、
前記プロセッサは、さらに、前記コンピュータ上に前記コンテンツをポップアップウィンドウの形で表示するように動作可能である、ネットワークアクセスノード。
【請求項６８】
請求項６４に記載のネットワークアクセスノードであって、
前記プロセッサは、さらに、前記伝送に対応している少なくとも１枚のＨＴＭＬページを取り囲むフレームの形で前記コンピュータ上に前記コンテンツを表示するように動作可能である、ネットワークアクセスノード。
【請求項６９】
請求項５１に記載のネットワークアクセスノードであって、
前記プロセッサは、前記伝送を処理のためにサーバにリダイレクトすることによって、前記伝送を処理するように動作可能である、ネットワークアクセスノード。
【発明の詳細な説明】
【０００１】
【発明の属する技術分野】
本発明は、ネットワーク通信に関し、特に、ネットワーク通信システムにおいてトラフィックをモニタする、タグ付けする、およびリダイレクトするための方法に関する。
【０００２】
【従来の技術】
ネットワーク通信に依存してクライアントやオフィスと連絡を取り合うビジネス客にとっては、空港のラウンジやホテルの客室などの遠隔地において、高速で且つ高信頼性のデータポートを使用できると好都合である。サービス業界は、このような高速データ接続をビジネス客に提供する必要性を、ごく最近になってようやく認識しはじめた。実際、ネットワーク技術が爆発的に普及し、それにともなってビジネスの専門家がこのような技術に依存するようになると、代表的なオフィス環境に匹敵する高速接続を客室に用意できないホテルは、用意できるホテルと比べてビジネスの場を大幅に失うと考えられる。
【０００３】
残念ながら、ホテルの客室の多くは、高速データのトラフィックに適応できるように配線されていない。つまり、１９９０年より以前のホテルは、ほぼ全て、基本的な電話サービスのみを提供するように配線されている。１９９５年になっても、標準的なイーサネット（登録商標）のデータ速度を扱えるように配線された客室は、１０％に満たなかった。サービス業界の大手が、高速接続を提供できる解決方法を模索している一方で、ホテルの客室および会議室の圧倒的多数は、今日でも低品質な１対の接続を配線されているに過ぎない。自明の解決方法の１つは、各ホテル設備の客室および会議室を全て完全に配線しなおして、所望のデータ伝送能力を提供する方法である。しかしながら、このような取り組みには法外な費用が必要となるので、より低コストの解決方法が望まれている。
【０００４】
このように高コストの再配線を試みたとしても、インフラのアップグレードでは対処できない他の問題が生じる。例えば、ホテルのホストへの高速接続が提供されても、利用客のラップトップコンピュータが何らかの理由でホテルのネットワークと非互換性になる場合が良くある。したがって、ネットワークおよびその先のインターネットと通信するためには、利用客の各ラップトップが適切に構成されなければならない。これは、ネットに接続しようとするたびに利用客のラップトップに特別なソフトウェアをダウンロードすることを含むと考えられる。このような処理は、ホテルの利用客にとって煩わしく面倒なだけでなく、ラップトップの再構成が現構成に支障をきたす恐れがあるという観点からも、利用客にとって受け入れがたい。
【０００５】
このように、費用をかけて配線をアップグレードしたとしても、ホテルのホストを通したインターネットアクセスの提供に関し、管理およびセキュリティのいずれの問題にも対応することができない。つまり、ホテルの利用客がインターネットに高速アクセスするためには、ホテルプロパティのネットワークと、例えばＴ１接続またはＴ３接続など、そのホテルのネットワークとインターネットとの間に設けられた何らかの接続とが必要である。また、内部ネットワークを無許可アクセスから保護するためには、各ホテルプロパティのファイアウォールも必要である。しかしながら、各ホテルプロパティのファイアウォールが存在するということは、ローカルネットワークの制御および管理の大部分がリモート側ではなくホテルプロパティ側で実施する必要があるということであり、これは、管理機能を冗長にするので望ましくない。
【０００６】
各ホテルプロパティを個々のインターネットホストとして維持する際に生じる管理上の困難としては、ＩＰアドレスの管理が含まれる。グローバル固有の３２ビットＩＰアドレスの範囲は、インターネット中央当局（ａ ｃｅｎｔｒａｌ Ｉｎｔｅｒｎｅｔ ａｕｔｈｏｒｉｔｙ）によって各組織に対して発行される。これらのアドレスは、４オクテット型で構成される。クラスＡのＩＰアドレスは、非常に大規模な組織に対して発行され、４オクテットのうち１番目は、その組織のネットワークを識別し、残りの３つは、そのネットワーク上の個々のホストを識別する。したがって、クラスＡのアドレスプールは、１７，０００，０００（２２４）近くのグローバル固有ＩＰアドレスを含む。クラスＢのアドレスでは、最初の２つのオクテットがネットワークを識別するのに使用され、残りの２つが個々のホストを識別するのに使用されるので、各組織に対して６４，０００（２１６）のグローバル固有ＩＰアドレスが割り当てられる。そして、クラスＣのアドレスでは、最初の３つのオクテットがネットワークを識別するのに使用され、最後の１つが個々のホストを識別するのに使用されるので、各組織に割り当てられるグローバル固有ＩＰアドレスはわずか２５６（２８）である。
【０００７】
残念ながら、クラスＡおよびクラスＢのアドレススペースは、ほぼ完全にロックアップされているので、中規模から大規模の組織（ホスト数が１，０００から１０，０００）のネットワークは、多くの場合、クラスＣ以外のアドレスを得ることが不可能もしくは極めて困難である。この問題は、ネットワークアドレス変換（ＮＡＴ）プロトコルの使用によって、ある程度は解決されてきた。このようなプロトコルにしたがうと、ある組織のネットワーク上にあるローカルホストが、インターネットへのアクセスをリクエストしたときは、その組織に対して使用可能なグローバル固有ＩＰアドレスのプールから、ＩＰアドレスが一時的に割り当てられる。ローカルホストがグローバル固有アドレスによって識別されるのは、インターネット上でパケットを送受信する場合に限る。割り当てられたアドレスは、ローカルホストがインターネットから切断されるとともにプールに戻され、ネットワーク上の任意の他のホストによる使用に備えられる。このようなプロトコルの実現に関するさらなる詳細は、Ｋ．　ＥｖｅｇａｎｇおよびＰ．　Ｆｒａｎｃｉｓによる「Ｔｈｅ　ＩＰ　Ｎｅｔｗｏｒｋ　Ａｄｄｒｅｓｓ　Ｔｒａｎｓｌａｔｏｒ（ＮＡＴ），　Ｒｅｑｕｅｓｔ　ｆｏｒ　Ｃｏｍｍｅｎｔｓ　”ＲＦＣ”　１６３１，　Ｃｒａｙ　Ｃｏｍｍｕｎｉｃａｔｉｏｎｓ，　ＮＴＴ，　Ｍａｙ　１９９４」を参照すると良い。本文献は、引用によって本明細書に組み込むものとする。
【０００８】
ＩＰアドレスのこのような動的割り当ては、インターネットへのアクセスを同時に必要とするユーザ数が２５６未満であるような組織に対しては、十分に有効である。しかしながら、例えば、客室数が１，２００のホテルでインターネット技術に関するセミナーを主催した場合は、インターネットアクセスへの需要は、使用可能なアドレスプールを超える可能性が非常に高い。以上は全て、主要なホテルチェーンがクラスＣのアドレスプールをまるごと所有できると仮定しているが、実際は必ずしもそうだとは限らない。
【０００９】
したがって、主要なホテルチェーンの各プロパティが、個々のプロパティに過度な管理上の負担をかけることなく、安全で、廉価で、且つ信頼性の高い方法で、各客室に高速のインターネットアクセスを提供できるような、方法および装置を用意することが望まれている。
【００１０】
【発明の概要】
ホテルに既存の配線インフラを使用して、ホテルプロパティの各客室に対し、安全で且つ高速なデータおよびインターネットアクセスを提供する方法および装置を、本発明にしたがって用意する。本発明の一実施形態にしたがうと、ホテルの各客室は、ホテルの現行の配線インフラによって相互に接続され、ローカルネットワークを構成している。インターネットにアクセスしようとする利用客が、各客室に取り付けられた室内のモジュールに自身のラップトップを接続すると、利用客のラップトップは、「偽の」ローカルＩＰアドレスを一時的に割り当てられる。この「偽の」ローカルＩＰアドレスは、室内のモジュールと関連付けられており、ホテルのローカルネットワーク上において固有である。このアドレスは、有効なインターネットアドレスではなく、ラップトップ自身の真のＩＰアドレスに取って代わるという点で、「偽」である。割り当てられたローカルＩＰアドレスは、利用客のラップトップが室内のモジュールに接続しているあいだ、ホテルのネットワーク上においてそのラップトップを固有に識別するものである。
【００１１】
ホテルのヘッドエンドモジュールは、パケットのルーティングを処理し、インターネットへのアクセスを提供する。インターネットへのアクセスを促進するため、ヘッドエンドモジュールは、各客室からのインターネットアクセスリクエストに応じて、例えばクラスＣのアドレスプールから各客室の室内モジュールへとグローバル固有ＩＰアドレスを一時的に割り当てる。割り当てられたＩＰアドレスは、インターネットトランザクションの期間中は、特定の室内モジュール（およびそれに関連した利用客のコンピュータ）の専用になる。トランザクションが終了すると、そのグローバル固有ＩＰアドレスは、室内モジュールから切断されてプールに戻され、後で任意の客室からのインターネットトランザクションを促進するために使用される。
【００１２】
本発明の別の実施形態にしたがうと、一定数のホテルのローカルネットワークが、リモートサーバによって相互に接続され、プライベート広域ネットワークまたは仮想プライベートネットワークを構成する。高速データおよびインターネットアクセスを個々の客室に提供する仮想プライベートネットワークの動作は、室内モジュールの「偽の」ＩＰアドレスが仮想プライベートネットワーク全体で固有である点と、グローバル固有ＩＰアドレスの一時的な割り当てがホテルのヘッドエンドではなくリモートサーバによって実施される点とを除き、上述した処理と同じである。これは、リモートサーバに関連付けられたアドレスからなるプールが、個々のホテルのネットワークによって調達できるプールよりも大きい（例えばクラスＢのアドレスプール）と考えられる点で有利である。
【００１３】
したがって、仮想プライベートネットワーク内のあらゆるホテルからのＩＰアドレスの需要が、リモートサーバのインストールベース全体に分散されるので、任意の一プロパティにおいて需要が爆発し、単一のクラスＣアドレスプールの容量を超えた場合であっても、適応することが可能である。また、本発明による仮想プライベートネットワークの実施形態は、ファイアウォールのセキュリティおよびその他のネットワーク管理機能を中央に集中化させ、どのホテルネットワークのセキュリティも犠牲にせずにリモート側から実施して良いという点で有利である。
【００１４】
他の様々な実施形態にしたがうと、本発明による室内モジュールの処理能力は、接続されたコンピュータに対するデータの送受信をモニタするため、そしてモニタされているデータ伝送の特性に基づいて様々な機能を提供するために利用される。例えば、室内モジュールは、ＨＴＭＬストリングを構文解析したり（？： ｐａｒｓｉｎｇ ａｎｄ ＨＴＭＬ ｓｔｒｉｎｇ）あるいはＴＣＰ接続を調べたりする（ｌｏｏｋｉｎｇ ａｔ ｔｈｅ ＴＣＰ ｃｏｎｎｅｃｔｉｏｎ）ことによって、コンピュータからのデータ伝送の宛先を決定して良い。室内モジュールは、次いで、伝送をタグ付けする、伝送に応じてコンピュータに送信されるページをフレーミングする、または関連付けられたサーバなどの他の位置での処理のために伝送をリダイレクトするなど、宛先に応じて様々な機能を実施することができる。
【００１５】
したがって、ネットワーク内の複数のネットワークアクセスノードのうち、第１のネットワークノードを通してネットワークへのアクセスを提供するための方法および装置を、本発明にしたがって用意する。各ネットワークアクセスノードは、ネットワーク上で固有なネットワークアドレスを関連付けられており、第１のネットワークアクセスノードは、第１のネットワークアドレスを関連付けられている。第１のコンピュータが第１のネットワークアクセスノードに接続された状態で、第１のネットワークアドレスを第１のコンピュータに関連付け、ネットワークへのアクセスを提供する。次いで、第１のコンピュータに関連付けられた伝送をモニタし、アドレス情報を決定する。そして、アドレス情報に応じて伝送を処理する。
【００１６】
以下の説明および図面を参照することによって、本発明の性質および利点をさらに理解することができる。
【００１７】
【発明の実施の形態】
図１は、ホテルネットワーク１００の客室に対する高速データおよびインターネットアクセスの提供を、本発明の具体的な一実施形態にしたがって示したブロック図である。各客室１０２には、電話１０６および利用客のラップトップコンピュータ１０８をホテルの配線インフラに接続する室内モジュール（ＩＲＭ）１０４が設けられている。具体的な一実施形態にしたがうと、ＩＲＭ１０４は、客室の電話用ジャックに直接差し込まれ、少なくとも２つのポートを追加で有する。このうち、１つはＲＪ−１１ジャックなどの客室の電話用であり、１つはＲＪ−４５イーサネットポートなどの利用客のラップトップ用である。様々な実施形態にしたがうと、ＩＲＭ１０４は、例えば、イーサネットデータと標準的な電話信号とをホテルの配線インフラで伝送するために統合および分離することを含む複数の機能を実施する。他の実施形態にしたがって後述するように、ＩＲＭ１０４は、中心の位置から制御情報を受信して、温度および照明などの各種の客室環境パラメータを自動制御するように構成される。さらに他の実施形態にしたがうと、ＩＲＭ１０４は、デジタルオーディオおよびビデオなどの、客室で表示するための他の様々なタイプのデータを受信したり、または他の様々な情報サービスを受信したりするように構成される。
【００１８】
伝送回線１１０は、ＩＲＭ１０４を、様々なインフラのうちの任意のインフラを通してホテルのヘッドエンド１１２に接続する。図示した実施例において、ＩＲＭ１０４は、標準的な電話伝送回線によってヘッドエンド１１２に接続されている。なお、ＩＲＭ１０４とヘッドエンド１１２との間の配線は、例えば４線式のイーサネット伝送回線などの、他の形態をとっても良いことがわかる。ヘッドエンド１１２は、ＭＤＦパンチダウンブロック１１６と、ＰＢＸパンチダウンブロック１１８と、ＰＢＸ１２０とを備える。パンチダウンブロック１１６と１１８との間には、ＨＥＭパンチダウンブロック１２２が配置される。標準的な電話信号が、パンチダウンブロック１２２を通ってＰＢＸ１２０へと移動する一方で、半二重のイーサネットデータパケットは、ヘッドエンドモジュール（ＨＥＭ）１２４によって伝送され受信される。この電話信号とデータパケットとの分割は、フィルタ１１９，１２１によって表される様々なフィルタリング技術のうちの任意の技術によって達成して良い。これらのフィルタは、パンチダウンブロック１２２の中に組み込んでも良いし、または個別のデバイスとして設けても良い。さらに追加のフィルタリングを用意することによって、音声とデータとが同一回線上にあることから生じる望ましくない影響の緩和を図っても良い。このようなフィルタリングも、やはりフィルタ１１９，１２１によって表される。なお、図示した構成は例示を目的としたものであり、本発明の範囲を限定することを意図したものではない。
【００１９】
ＨＥＭ１２４は、本発明の構成に応じて様々な機能を実施する。そして、いくつかの実施形態にしたがうと、ＨＥＭ１２４は、オペレーティングシステムの中に追加の能力をプログラムされた拡張ルータとして捉えることができる。つまり、このような実施形態にしたがうと、ＨＥＭ１２４は、ＩＲＭ１０４からのまたはＩＲＭ１０４へのデータパケットをルーティングするスイッチとして機能し、ＩＲＭ１０４からのまたはＩＲＭ１０４への通信のもう一端、すなわちイーサネットデータと電話信号とをシングルツイストペア技術によって統合する一端として機能する。他の代替の実施形態にしたがうと、ＨＥＭ１２４は、アドレスの変換および割り当てを処理し、ネットワークアクセスを制御し、そして、ホテルのシングルツイストペアインフラで伝送されるイーサネットデータのブリッジとして機能する。ＨＥＭ１２４は、それぞれが対応するＩＲＭ１０４と通信関係にある複数のポート１２６を有する。この通信は、（ＩＲＭまたはＨＥＭのいずれかによって）独立してモニタおよび制御して良いので、中央のホテルは、支払いの請求およびアクセスを管理することはもちろん、トラブルシューティングを目的とした報告を生成することも可能になる。
【００２０】
各ＩＲＭ１０４（および対応するＨＥＭポート１２６）は、固定ＩＰアドレスを有し、このアドレスは、例えばシンプルネットワーク管理プロトコル（ＳＮＭＰ）など様々なネットワーク管理プロトコルのうちの任意のプロトコルを使用して構成して良い。特定のＩＲＭ１０４に接続された利用客のコンピュータが、自身の内部ＩＰアドレスを有さない場合は、動的ホスト構成プロトコル（ＤＨＣＰ）を使用して、対応するＩＲＭ１０４／ＨＥＭポート１２６の固定ＩＰアドレスを利用客のコンピュータに割り当て、ネットワーク１００へのアクセスを促進する。利用客のコンピュータが、すでに自身の内部ＩＰアドレスを有している場合は、コンピュータの内部ＩＰアドレスと、ＩＲＭ１０４／ＨＥＭポート１２６の固定ＩＰアドレスとの間で、アドレスの変換を実施する。本発明の様々な実施形態にしたがうと、このアドレスの変換は、ＩＲＭ１０４またはＨＥＭ１２４のいずれかによって実施して良い。ＨＥＭ１２４は、基本的なＩＰ通信のための小さいブートＲＯＭ（ｓｍａｌｌ ｂｏｏｔ ＲＯＭ）（不図示）と、完全に機能するソフトウェアおよびコンフィギュレーションデータ（ｆｕｌｌｙ ｆｕｎｃｔｉｏｎａｌ ｓｏｆｔｗａｒｅ ａｎｄ ｃｏｎｆｉｇｕｒａｔｉｏｎ ｄａｔａ）のための大きいフラッシュＲＯＭ（ｌａｒｇｅ ｆｌａｓｈ ＲＯＭ）（不図示）とを有する。これは、例えば、ＩＰ上の（ｒｉｄｉｎｇ ｏｎ ｔｏｐ ｏｆ ＩＰ）暗号化プロトコルを使用したリモートソフトウェアのアップグレードを可能にする。
【００２１】
図２は、図１のシステムを使用しているホテルの客室に対して高速データおよびインターネットアクセスを提供するための方法を示したフローチャート２００である。利用客のコンピュータが、任意の客室のＩＲＭに接続されると、ＩＲＭに関連付けられたネットワークＩＰアドレスが、そのコンピュータに関連付けられる（２０４）。上述したように、この関連付けは、コンピュータが内部ＩＰアドレスを有さない場合には、利用客のコンピューにネットワークＩＰアドレスをＤＨＣＰ割り当てしたと解釈することができる。また、コンピュータの内部ＩＰアドレスをネットワークＩＰアドレスに変換したと解釈することもできる。このアドレス割り当て／変換は、ＩＲＭまたはＨＥＭのいずれかによって達成して良い。また、この割り当て／変換は、それがどこで生じるかに応じて、後述する２０６の前または後のいずれかで実施して良い。ネットワークＩＰアドレスは、利用客のコンピュータがＩＲＭに接続されているあいだ、利用客のコンピュータに関連付けられた状態で維持される。
【００２２】
ＩＲＭをホテルのネットワークに接続する伝送回線が、導体からなるシングルツイストペアを備える場合は、ＩＲＭとＨＥＭとの間でのデータ通信は、客室の電話からの標準的な電話信号と実質的に同時にシングルツイストペアを伝送されるように構成される（２０６）。以下では、この構成を達成する具体的な技術に関して、図３ａおよび図４を参照にしながら説明する。
【００２３】
接続が確立されたら、ＩＲＭとＨＥＭとの間での通信を、様々な目的のために周期的にまたは連続的にモニタする（２０８）。この情報は、ホテル側において、支払い請求を目的として使用したり、またはトラブルシューティングおよびホテルネットワークの信頼性の向上を目的として使用したりして良い。
【００２４】
利用客のコンピュータからインターネットトランザクションがリクエストされた場合は、利用客のコンピュータに関連付けられているネットワークＩＰアドレスに対して、グローバル固有ＩＰアドレスのプールからのグローバル固有ＩＰアドレスが、例えばネットワークアドレス変換プロトコルを使用して一時的に関連付けられる（２１０）。上述したように、アドレスのプールは、例えばクラスＡ、Ｂ、またはＣアドレスのプールであって良い。図５および図６を参照にして後述するように、グローバル固有ＩＰアドレスの一時的な関連付けは、ホテルのＨＥＭによって達成して良いが、別の一実施形態にしたがうと、１つまたはそれ以上のホテルプロパティを相互に接続して広域ネットワークを構成するリモートサーバによって達成しても良い。インターネットトランザクションが完了したら（２１２）、グローバル固有ＩＰアドレスをネットワークＩＰアドレスから切り離してプールに戻し、続いてホテルの任意の客室からリクエストされるインターネットトランザクションを促進するために使用する（２１４）。ネットワークＩＰアドレスは、例えばコンピュータがＩＲＭから切断されるまたはパワーダウンするなど、セッションが終了するまで利用客のコンピュータに関連付けられた状態で維持される。
【００２５】
図３ａおよび図３ｂは、図１のＩＲＭ１０４およびＨＥＭ１２４のそれぞれを詳細に示したブロック図である。ＩＲＭ１０４は、客室の標準的な電話用ジャックはもちろん客室の電話および利用客のコンピュータにＩＲＭを接続するための接続回路を備える。様々な実施形態にしたがうと、接続回路は、電話に接続するためのＲＪ−１１ポート３０２と、壁ジャック（ｗａｌｌ ｊａｃｋ）に接続するためのＲＪ−１１ポート３０３と、イーサネットポート３０４と、利用客のコンピュータに接続するためのＵＳＢポート３０６と、様々な型のデータを受信するための追加のデータポート３０７とを含んで良い。ＵＳＢポート３０６は、特定のネットワーク再構成に対処しなくて良いという点で、場合によってはイーサネットポート３０４よりも好都合である。また、ビジネス客の多くは、自身のラップトップのイーサネットポートをネットワークイーサネットポートに接続するために必要なイーサネットドングルを携帯していない。したがって、ＩＲＭ１０４は、ラップトップの伝送をイーサネット規格に変換するように動作可能である。
【００２６】
具体的な一実施形態にしたがうと、ＩＲＭ１０４は、ホテルの配線インフラの大部分を占める導体からなるシングルツイストペアにおいてデータを送受信するための伝送回路３０８を含む。一実施形態にしたがうと、伝送回路３０８の一部は、図４に示すように、半二重データと電話信号とが同一回線上にあることを可能にするＨｏｍｅ　ＰＮＡ（Ｐｈｏｎｅ−ｌｉｎｅ Ｎｅｔｗｏｒｋｉｎｇ Ａｌｌｉａｎｃｅ）規格にしたがって実現される。Ｈｏｍｅ　ＰＮＡ規格にしたがうと、ＩＲＭ１０４からＨＥＭ１２４のポート１２６へのデータ伝送と、ＨＥＭからＩＲＭへのデータ伝送とは、例えば７．５ＭＨｚなど４〜９ＭＨｚの周波数において交代される。標準的な電話信号は、Ｈｏｍｅ　ＰＮＡの変調周波数より低い周波数で発信されるので、１対のペア配線上に、全ての信号が容易に存在することができる。
【００２７】
具体的な一実施形態にしたがうと、伝送回路３０８は、ＩＲＭ１０４に関連付けられたネットワークＩＰアドレスを利用客のコンピュータに関連付けるように動作可能である。つまり、利用客がローカルエリアネットワークまたは広域ネットワークにアクセスすることを可能にするアドレスの変換または割り当ては、ＩＲＭの中の伝送回路によって実施される。より具体的な一実施形態にしたがうと、伝送回路３０８は、ＲＩＳＣマイクロプロセッサをベースにした処理装置３０９を含み、これは、アドレスの変換と、ヘッドエンドに伝送することを目的とした信号の統合および分離と、適切なＩＲＭポートへの受信信号のルーティングとを実施する。具体的な一実施形態にしたがうと、処理装置３０９は、Ｉｎｔｅｌ　８０９６０ＶＨと適切なサポート回路とを備える。
【００２８】
別の具体的な一実施形態にしたがうと、ＩＲＭ１０４は、ホテルのネットワークを通して制御情報を受信し、ＩＲＭに近接した１つまたはそれ以上の制御システム３１１を制御するための制御回路３１０も含む。このような制御システムは、例えば、部屋の温度調節装置、照明、およびオーディオシステムを含んで良い。一実施形態において、制御回路は、受信した制御情報を室内の制御システムを実際に制御するために必要な制御信号に変換するための変換回路３１２を含む。制御回路は、例えば、ＲＦ制御信号を様々な制御システムに伝送するためのＲＦ伝送要素３１４（例えばアンテナ）を含んで良い。代替の一実施形態にしたがうと、変換回路３１２は、赤外線制御信号を様々な制御システムに伝送するための赤外線伝送要素（例えばＩＲダイオード）を含む。
【００２９】
伝送回路３０８は、それが受信する様々なデータを（プロセッサ３０９を使用して）区別し、データパケットヘッダ内のアドレス情報にしたがって、それらのデータをＩＲＭ１０４上の適切なポートに送信する。具体的な一実施形態にしたがうと、デジタルオーディオおよびビデオは、ここで説明したシステムを通して個々の客室に伝送して良い。デジタルオーディオおよびビデオは、伝送されたコンテンツを表示する目的でオーディオおよび／またはビデオシステムを接続された追加のデータポート３０７に送信される。こうすれば、利用客の到着に備えて環境を設定することが可能である。また、利用客は、ホテルのネットワークを通して様々なエンターテイメントおよび情報サービスを選択することができ、これらは、ＩＲＭ１０４上の補助データポート３０７を通して客室に伝送して良い。
【００３０】
ＩＲＭ１０４の具体的な実施形態は、また、ＬＥＤまたはＬＣＤディスプレイ３１６を含んでおり、このディスプレイ上には、これらが接続されているか否かにかかわらず、ステータス情報および他の情報を客室の利用客に伝えることが可能である。例えば、接続がなされる前のディスプレイ３１６は、ＩＲＭ１０４に接続するための指示およびＩＲＭ１０４を通して利用可能なあらゆるサービスをホテルの利用客に伝えるために使用することができる。また、株式市況および気象情報などの他の情報を連続的にまたは周期的に表示しても良い。接続された後のディスプレイ３１６は、接続の時間および現在の接続料ならびに接続の状況を伝えることができる。なお、他の様々な情報がディスプレイ３１６を通じて表示可能である。
【００３１】
ＩＲＭ１０４は、また、個々の色からなって且つユーザに情報を提供するＬＥＤアレイ３１８を含んで良い。このようなＬＥＤは、例えば、ＩＲＭの接続状況すなわちＩＲＭがＨＥＭに接続されているか否かを、赤または緑のＬＥＤを使用して示して良い。ＬＥＤ３１８は、また、ユーザに対して購入状況を示すように構成しても良い。つまり、接続サービスは２４時間単位で購入されることが多いので、ＬＥＤ３１８は、既に購入済みの時間単位で作動中であるか否か（緑）、現在の時間単位が終わりに近づいているか否か（黄）、または既に次の時間単位に入っているか否か（赤）を、ユーザに対して示して良い。ＬＥＤ３１８は、また、例えばＵＳＢまたはイーサネットなどの、ユーザが確立した接続のタイプを示しても良い。
【００３２】
上述したように、そして図３ｂに示したように、ＨＥＭ１２４は、ＩＲＭ１０４に出入りするデータパケットをルーティングし、ネットワークアクセスを制御し、ホテルのシングルツイストペアインフラで伝送されるイーサネットデータのブリッジとして機能し、そして実施形態によってはアドレスの変換および割り当てを処理する、拡張ルータとして捉えて良い。様々な実施形態にしたがうと、ＨＥＭ１２４の機能性は、例えばシスコシステムズによる２６１１ルータおよびＣａｔａｌｙｓｔ２９００イーサネットスイッチなどによって可能な機能性を使用して実現して良い。ＨＥＭ１２４は、マスタ中央演算処理装置（ＣＰＵ）３５２と、低速および中速のインターフェース３５４と、高速のインターフェース３５６とを含む。適切なソフトウェアおよびファームウェアの制御下で作動しているとき、ＣＰＵ３５２は、ルーティングテーブルの計算およびネットワークの管理などのルータタスクを担う。また、ネットワークアクセスおよび伝送の制御などを担っても良い。これらの機能は全て、オペレーティングシステム（例えばシスコシステムズによるインターネットオペレーティングシステム（ＩＯＳＯ））と任意の適切なアプリケーションソフトとを含むソフトウェアの制御下において実現することが好ましい。ＣＰＵ３５２は、１つまたはそれ以上のマイクロプロセッサチップ３５８を含んで良い。具体的な一実施形態では、メモリ３６０（不揮発性ＲＡＭおよび／またはＲＯＭ）もＣＰＵ３５２の一部を構成している。しかしながら、システムへのメモリの結合は、多くの方法によって行うことが可能である。
【００３３】
インターフェース３５４，３５６は、インターフェースカード（「ラインカード」と称される場合もある）として用意されるのが通常である。これらは、一般に、ネットワークでのデータパケットの送信および受信を制御し、ときには、ＨＥＭ１２４とともに使用される他の周辺機器をサポートする。低速および中速のインターフェース３５４は、マルチポート通信インターフェース３６２と、シリアル通信インターフェース３６４と、トークンリングインターフェース３６６とを含む。高速インターフェース３５６は、ＦＤＤＩインターフェース３６８と、マルチポートイーサネットインターフェース３７０とを含む。これらのインターフェース（低速／中速および高速）は、それぞれ、（１）適切なメディアと通信するためのポートと、（２）独立プロセッサと、場合によっては（３）揮発性ＲＡＭとを含むことが好ましい。独立プロセッサは、パケット交換ならびにメディア制御および管理などの、通信を主体としたタスクを制御する。このアーキテクチャでは、通信を主体とした各タスクのために個々のプロセッサを用意することによって、マスタマイクロプロセッサ３５２が、ルーティング計算、ネットワーク診断、セキュリティ機能などを効率的に実施できるようにしている。
【００３４】
低速および中速のインターフェース３５４は、データ・制御・アドレスバス３７２を通してマスタＣＰＵ３５２に結合される。高速のインターフェース３５６は、高速データ・制御・アドレスバス３７４を通してバス３７４に接続され、バス３７４は、バスコントローラ３７６に接続される。
【００３５】
図３ｂに示したシステムは、本発明を実現できるルータの１種であり、本発明を実現できる唯一のルータアーキテクチャでは決してない。例えば、通信およびルーティング計算の両方を処理するシングルプロセッサを有したアーキテクチャも許容可能である。さらには、他のタイプのインターフェースおよびメディアをルータとともに使用することも可能である。
【００３６】
このシステムは、ネットワークデバイスの構成如何にかかわらず、ネットワーク動作、ネットワークアクセス、およびここで説明した制御機能のための、プログラム命令を格納するように構成された、１つまたはそれ以上のメモリまたはメモリモジュール（メモリ３６０を含む）を利用して良い。プログラム命令は、例えば、オペレーティングシステムおよび１つまたはそれ以上のアプリケーションを指定して良い。このような１つまたはそれ以上のメモリは、また、室内の制御システムを制御するための制御情報などを格納するように構成しても良い。
【００３７】
このような情報およびプログラム命令は、ここで説明したシステム／方法を実現するために利用して良いので、本発明は、ここで説明した様々な動作を実施するためのプログラム命令や状態情報などを含んだ機械可読メディアに関する。コンピュータ可読メディアの例は、ハードディスク、フロッピィディスク、および磁気テープなどの磁気メディア、ＣＤ−ＲＯＭディスクなどの光メディア、フロプティカルディスクなどの光磁気メディア、ならびに読み取り専用メモリ（ＲＯＭ）およびランダムアクセスメモリ（ＲＡＭ）など、プログラム命令を格納および実行するために特別に構成されたハードウェアデバイスを含み、これらに限定されない。本発明は、また、エアウェーブ、オプティカルライン、エレクトリックラインなどの適切なメディアを伝わる搬送波に組み込まれても良い。プログラム命令の例は、コンパイラによって生成された機械コードと、インタープリタを使用してコンピュータによって実行して良い高水準コードを含んだファイルとを、ともに含む。
【００３８】
再び図３ｂを参照すると、ＨＥＭ１２４は、それぞれが対応するＩＲＭ１０４と通信関係にある複数のポート１２６を有する。ＨＥＭ１２４は、任意のポート１２６がいつ使用されているかを感知することができるので、ホテル側は、ユーザに対して適宜に支払いを請求することができる。このモニタ機能は、また、テクニカルサポート、ネットワーク帯域幅の所要量の見積もり、支払い請求の見積もり、およびパターンデータの購入などにも有用である。ＨＥＭ１２４は、また、個々のポート１２６をイネーブルおよびディセーブルすることもできる。ネットワーク１００が、（後述するように）広域ネットワークの一部である場合は、ポート１２６のモニタリング、イネーブリング、ディセーブリングを、ＷＡＮの中心にあるリモートサーバから行って良い。
【００３９】
上述したように、各ＨＥＭポート１２６（および対応するＩＲＭ１０４）は固定ＩＰアドレスを有し、このアドレスは、例えばＳＮＭＰなどの、様々なネットワーク管理プロトコルのうちの任意のプロトコルを使用して構成して良い。ＨＥＭポート１２６およびＩＲＭ１０４の固定ＩＰアドレスは、ＤＨＣＰを使用して利用客のコンピュータに割り当てられる。あるいは、コンピュータの内部ＩＰアドレスと、ＩＲＭ１０４／ＨＥＭポート１２６の固定ＩＰアドレスとの間で、アドレス変換が実施される。ＨＥＭ１２４は、基本的なＩＰ通信のための小さいブートＲＯＭ（ｓｍａｌｌ ｂｏｏｔ ＲＯＭ）３７８と、完全に機能するソフトウェアおよびコンフィギュレーションデータ（ｆｕｌｌｙ ｆｕｎｃｔｉｏｎａｌ ｓｏｆｔｗａｒｅ ａｎｄ ｃｏｎｆｉｇｕｒａｔｉｏｎ ｄａｔａ）のための大きいフラッシュＲＯＭ（ｌａｒｇｅ ｆｌａｓｈ ＲＯＭ）３８０とを有する。これは、例えば、ＩＰ上の（ｒｉｄｉｎｇ ｏｎ ｔｏｐ ｏｆ ＩＰ）暗号化プロトコルを使用したリモートソフトウェアのアップグレードを可能にする。
【００４０】
様々な実施形態にしたがうと、ＨＥＭ１２４は、導体からなるシングルツイストペア上でデータを送受信するための伝送回路３１６をも備える。したがって、ＩＲＭ１０４において標準的な電話信号と統合されたイーサネットデータをインターセプトおよび再構成し、標準的なイーサネット技術にしたがって伝送できるようにして良い。また、シングルツイストペアで伝送できるように、ＩＲＭ１０４に向かうデータを統合しても良い。伝送回路３０８と同様に、伝送回路３１６も、Ｈｏｍｅ　ＰＮＡ規格にしたがって実装して良い。
【００４１】
図５は、ホテル５０２チェーンの客室に対する高速データおよびインターネットアクセスの提供を、本発明の一実施形態にしたがって示したブロック図である。図１を参照にしながら上述した内部インフラを使用すると、各ホテル５０２は、インターネット５０４への直接アクセスを各客室に提供するローカルエリアネットワーク（ＬＡＮ）（不図示）を有する。この実施形態にしたがうと、各ホテル５０２は、ファイアウォール５０６の形態で自身のセキュリティを提供してＬＡＮを保護しなければならない。
【００４２】
図６は、ホテル６０２チェーンの客室に対する高速データおよびインターネットアクセスの提供を、本発明の別の一実施形態にしたがって示したブロック図である。図１を参照にしながら上述した内部インフラを使用すると、各ホテル６０２は、他のホテル６０２の他のＬＡＮと接続して仮想プライベートネットワーク（ＶＰＮ）６０４と称される広域ネットワーク（ＷＡＮ）を構成するＬＡＮ（不図示）を有する。具体的な一実施形態にしたがうと、ＶＰＮ６０４は、非同期転送モード（ＡＴＭ）技術を利用してデータパケットを伝送する光ファイババックボーン上に構築される。しかしながら、このようなネットワークでは、本発明の範囲から逸脱することなしに、様々な伝送プロトコルおよびインフラストラクチャのうちの任意のものを利用してデータを伝送することが可能である。このようなプロトコルは、フレームリレー、イーサネット、およびＦＤＤＩを含んで良いが、これらに限定されない。データは、各ホテル６０２から送出されるときにフレーマ（不図示）によって適切なフォーマットに構成される。フレーマは、各ホテルのルータまたはファイルサーバの一部を構成しているか、またはそれに関連付けられていて良い
【００４３】
図６の実施形態は、図５を参照にしながら上述した実施形態に比べて多くの点で有利である。インターネットへの高速アクセスは、例えばＴ１回線またはＴ３回線などの、何らかの形態のインターネット接続を必要とする。このような接続は、接続をサポートするハードウェアインフラを必要とするだけでなく、例えばファイアウォールなどの形態によって、何らかの形でネットワークを保護する必要もある。したがって、ホテルチェーンの各ホテルプロパティが、（図５に示したように）インターネットに直接接続されている場合は、各プロパティは、自身のネットワークハードウェアインフラおよびファイアウォールと、それらをサポートするための管理スタッフおよび機能とを必要とする。反対に、ＶＰＮ６０４が存在する場合は、インターネット６０６へのアクセスは、１つまたはそれ以上のファイアウォール６１０と、他に必要な任意のネットワーキングハードウェアおよび機器と、が設けられ管理されている、１つのネットワークセンタ（リモートネットワーク管理センタ（ＮＯＣ）サーバ６０８）を通して提供される。具体的な一実施形態にしたがうと、第１のネットワークセンタとは別の都市に予備のネットワークセンタを用意することによって、どちらかのネットワークセンタが停止した事態に備える。
【００４４】
各ホテルプロパティがインターネットに直接接続されていると、中心の位置からホテルを制御するにあたって問題が生じる。つまり、中心位置からの制御を受けやすいホテルＬＡＮほどハッキングにも攻撃されやすい。ＶＰＮ６０４を使用する場合は、セキュリティが完備しており、集中的管理が事実上制約されない。これは、リモートソフトウェアのアップグレードなどにとって好都合であるので、かなりの額に及ぶフィールドサービスコストを節約できる。また、機器の大部分が中央に位置していることから、図５の実施形態において各ホテルプロパティが機器およびサポート機能のために必要とした過剰なコストを回避することができる。
【００４５】
ＶＰＮ６０４によってもたらされるもう１つの重要なメリットは、グローバル固有ＩＰアドレスの管理に関する。上述したように、大部分が中規模から大規模の組織からなるネットワーク上では、各ホストに適応できる大きさを有するグローバル固有ＩＰアドレスプールは少数である。例えば、クラスＣアドレスからなるプールがネットワーク上において同時に適応できるユーザ数は、２５６未満である。これは、ほとんどのホテルにとっては十分であるが、十分でない状況は容易に予想される。例えば、上述したように、客室数が１，２００のホテルでインターネット技術に関するセミナーを主催した場合は、アドレスのプールが不足すると考えられる。また、以上の記述は、ホテルチェーン（１，０００を超えるプロパティからなる場合もある）の各プロパティがクラスＣアドレスのプールを調達できることを想定している。
【００４６】
ＶＰＮ６０４は、各ホテルプロパティからのＩＰアドレスの需要を広域ネットワークのリソース全体に分散させることによって、この問題に対処している。したがって、例えば、ホテルチェーンの客室総数が、使用可能なグローバル固有ＩＰアドレスの数を大きく上回る場合であっても、１つのクラスＢアドレスプールのみを使用して、ホテルチェーン全体からのインターネットアクセスの需要に対応する。つまり、クラスＢのプールから取得可能な６４，０００近くのグローバル固有アドレスを使い尽くすことなく、数十ものホテルプロパティにおいて、ＩＰアドレスの需要の同時急増も可能である。
【００４７】
ＶＰＮ６０４によって、他のセキュアサービスを提供しても良い。例えば、ＩＰを通したビデオ電話会議６１２およびＩＰを通した音声通信６１４を、ホテルの利用客に提供して良い。さらに、企業ホスト（ｃｏｒｐｏｒａｔｅ ｈｏｓｔｓ）６１６が、ＶＰＮ６０４へのアクセスを調整すれば、これらの企業の従業員は、従業員用のネットワークに遠隔地から安全にアクセスすることが可能になる。他にも、例えばプロパティ管理サービス６１８などのサービスをホテル管理６０２に提供しても良い。
【００４８】
具体的な一実施形態にしたがうと、例えば図３ａのＩＲＭ１０４などの、本発明による室内モジュールの処理能力は、様々な拡張ＩＰおよびＨＴＭＬ処理の機能を達成するために利用される。様々な実施形態にしたがうと、このような機能は、ネットワークトラフィックのモニタリング、タグ付け、およびリダイレクトに関連して良い。このような機能の１つは、ウェブサイトおよびウェブポータルが、これらのサイトを参照しているトラフィックのソースを追跡する方式に関する。
【００４９】
Ｅコマースウェブサイトの多くは、ユーザトラフィックを参照するサイトとの間で収益を分け合っている。これらの参照は、一般に、参照するサイトのページに組み込まれたｅコマースサイトへのリンクを通して達成される。このようなメカニズムによって参照されるトラフィックは、一般に、参照するサイトを識別する提携タグ（ａｆｆｉｌｉａｔｅ ｔａｇ）を含む。リンク先であるｅコマースサイトは、この提携タグの使用を通して参照トラフィックのソースを追跡し、参照しているこれらの様々な関連サイトに補償する割合を決定する。
【００５０】
上述したアプローチによってもたらされる欠点の１つは、用意されたリンク以外の他のメカニズムを利用してユーザがターゲットサイトにアクセスした場合に、参照サイトが収益を得る機会を失うという点にある。例えば、ユーザが、ターゲットサイトのＵＲＬをブラウザに直接打ち込んだ場合は、このリクエストは、その提携サイトから発しているものとしてタグ付けされない。これは、たとえユーザが、この提携サイトのリンクページを表示している場合であっても同様である。したがって、本発明の具体的な一実施形態にしたがうと、ＩＲＭは、関連付けられたコンピュータから発せられたリクエストをモニタし、それらのリクエストが、ハイパーリンクの選択から発しているかまたはＵＲＬを直接打ち込むことから発しているかにかかわらず、提携リンクＩＤタグを追加するように構成される。
【００５１】
さらに一般には、本発明によるＩＲＭは、接続されたホストから発せられたトラフィックをモニタし、モニタされているトラフィックの特性に応じ、所定のプロトコルにしたがってリクエストを処理するように構成して良い。つまり、ＩＲＭの処理能力と、各ＩＲＭには通常は１台のコンピュータのみが関連付けられているという事実とから、そのコンピュータに関連付けられたトラフィックは、数百ひいては数千ものユーザに対応している例えばルータなどの代表的なネットワークノードを通して流れるトラフィックに対して実行可能な方法よりも、格段に詳細な方法で分析することができる。
【００５２】
図７は、図１のシステムを使用しているホテルの客室に対して高速データおよびインターネットアクセスを提供するための別の方法を示したフローチャート７００である。利用客のコンピュータが、任意の客室にあるＩＲＭに接続すると、そのＩＲＭに関連付けられたネットワークＩＰアドレスが、そのコンピュータに関連付けられる（７０４）。上述したように、この関連付けは、コンピュータが内部ＩＰアドレスを有さない場合には、ネットワークＩＰアドレスを利用客のコンピューにＤＨＣＰ割り当てしたと解釈することができる。また、コンピュータの内部ＩＰアドレスがネットワークＩＰアドレスに変換されたと解釈することもできる。このアドレス割り当て／変換は、ＩＲＭまたはＨＥＭのいずれかによって達成して良い。また、この割り当て／変換は、それがどこで生じるかに応じ、後述する７０６の前または後のいずれかで実施して良い。ネットワークＩＰアドレスは、利用客のコンピュータがＩＲＭに接続されているあいだ、利用客のコンピュータに関連付けられた状態で維持される。
【００５３】
次いで、利用客のコンピュータからのデータが、ホテルの配線インフラで伝送できるように構成される（７０６）。したがって、例えば、ＩＲＭをホテルのネットワークに接続している伝送回線が、標準電話回線などの導体からなるシングルツイストペアを備える場合は、ＩＲＭとＨＥＭとの間でのデータ通信は、客室の電話からの標準的な電話信号と実質的に同時にシングルツイストペアを伝送されるように構成される。これは、例えば、標準的で且つ周知のＤＳＬ技術を使用して達成して良い。あるいは、ホテルがより最新式であって、ネットワーク通信インフラを含んでいる場合は、例えばイーサネットなど、様々なネットワーク伝送プロトコルのうちの任意のプロトコルにしたがってデータを伝送して良い。
【００５４】
接続が確立されたら、ＩＲＭとＨＥＭとの間での通信を、様々な目的のために周期的にまたは連続的にモニタする（７０８）。この情報は、ホテル側において、支払い請求を目的として使用したり、またはトラブルシューティングおよびホテルネットワークの信頼性の向上を目的として使用したりして良い。
【００５５】
利用客のコンピュータからインターネットトランザクションがリクエストされた場合は、利用客のコンピュータに関連付けられているネットワークＩＰアドレスに対し、グローバル固有ＩＰアドレスのプールからのグローバル固有ＩＰアドレスが、例えばネットワークアドレス変換プロトコルを使用して一時的に関連付けられる（７１０）。上述したように、アドレスプールは、例えばクラスＡ、Ｂ、またはＣアドレスのプールであって良い。図５および図６を参照にして上述したように、グローバル固有ＩＰアドレスの一時的な関連付けは、ホテルのＨＥＭによって達成して良いが、別の一実施形態にしたがうと、１つまたはそれ以上のホテルプロパティを相互に接続して広域ネットワークを構成するリモートサーバによって達成しても良い。
【００５６】
各ＩＲＭに接続された各コンピュータに対するデータの送受信をモニタすることによって、様々な機能を達成して良い（７１２）。つまり、ＩＲＭにおいて可能な処理能力によって、例えばＨＴＭＬストリングの真下などの任意のネットワークプロトコル層においてこれらのデータ伝送を評価し、伝送の宛先または伝送の起点などを決定して良い。この情報は、次いで、非常に単純なものから非常に複雑なものまでに及ぶ様々な方式で伝送を処理するために使用して良い（７１４）。
【００５７】
利用客のコンピュータからの伝送は、ＩＲＭにおいて可能な処理能力によって、様々な複雑度でモニタすることが可能である。つまり、物理層からアプリケーション層にいたるまでの任意のネットワーク通信プロトコル層においてこれらの伝送を評価し、これらの伝送に関する情報を決定して良い。したがって、ＩＲＭは、例えばネットワーク層を参照することによって、伝送が向かう先であるポート８０などのポートを識別することができる。あるいは、ＩＲＭは、リクエストのＨＴＭＬストリングを調べることによって、伝送が向かう先であるウェブサイトを識別することができる。なお、伝送をモニタするために可能な方法は、利用客のコンピュータを起点とする伝送または利用客のコンピュータに向かう伝送の種類の数によってのみ制約されることがわかる。
【００５８】
続いて伝送を処理する方法も、やはり同様に多種多様であって良い。例えば、伝送をモニタすることによってウェブリクエストの宛先を決定した場合は、この情報を様々な方法で使用して良い。例えば、宛先であるサイトと、本発明によるネットワークサービスのプロバイダとの間に提携の合意がなされている場合は、宛先サイトへの伝送に提携タグを関連付けて良い。これは、宛先サイトを指定しているＨＴＭＬストリングに提携タグを付加することによって達成して良い。
【００５９】
あるいは、宛先サイトに関する情報は、宛先サイトに何らかの形で関連しているコンテンツとともに、利用客のコンピュータ上にポップアップウィンドウを生成するまたはウェブページをフレーミングするために、利用しても良い。このようなフレームまたはウィンドウのコンテンツは、宛先サイトまたは競争相手の業務に関連している可能性がある。つまり、コンピュータのユーザが、コカコーラ（登録商標）のウェブサイトにリクエストを送信した場合は、戻されたウェブページは、コカコーラ（登録商標）からのプロモーションオファまたはペプシ（登録商標）からの広告とともに表示される可能性がある。
【００６０】
データ伝送の処理は、それがタグ付け、フレーミング、または他の何らかの処理のいずれに関連するかにかかわらず、ＩＲＭそれ自体の内部において達成しても良いし、または処理ノードを通して伝送の少なくとも一部をＩＲＭによってリダイレクトすることによって、別のネットワークノード（例えば、ＨＥＭまたはローカルもしくはリモートサーバ）において達成しても良い。したがって、処理機能が、例えば特定の宛先サイトからウェブページをフレーミングすることに関し、利用客のコンピュータからの伝送が、このようなサイトに向かうことを決定されている場合は、これらの伝送を、宛先サイトに接続した処理ノードに向かってリダイレクトし、受信されるページをこれに応じてフレーミングし、利用客のコンピュータ上で表示できるようにして良い。
【００６１】
利用客のコンピュータからの伝送または利用客のコンピュータへの伝送のモニタリングと処理とに関して上述した実施例は、一般に、単に例示を目的としたものであり、本発明は、これらの両機能を多様な範囲に渡って包括していることがわかる。
【００６２】
再び図７に戻り、インターネットトランザクションが完了したら（またはパケットが送受信されないタイムアウト期間が終了したら）（７１６）、グローバル固有ＩＰアドレスをネットワークＩＰアドレスから切り離してプールに戻し、ホテルの任意の客室から行われるインターネットトランザクションを促進するために続いて使用できるようにする（７１８）。ネットワークＩＰアドレスは、例えばコンピュータがＩＲＭから切断されるまたはパワーダウンする（電源遮断される）など（７２０）、セッションが終了するまで利用客のコンピュータに関連付けられた状態で維持される。
【００６３】
以上では、具体的な実施形態を参照にしながら本発明を具体的に示して説明したが、当業者ならば、本発明の趣旨および範囲から逸脱することなしに、本明細書において開示された実施形態の形態および詳細を変更できることがわかる。例えば、実施形態の多くは、ホテルに関連して説明したものである。しかしながら、本発明において利用した技術は、例えば学校やオフィスビルなど、様々な組織および機関に対して適用して良いことがわかる。また、ここで説明した実施形態の多くは、ほとんどのビルで使用されている標準的な電話回線であるシングルツイストペア配線を利用している。しかしながら、ここで説明した技術は、例えばイーサネットやＡＴＭシステムを含む様々な配線インフラのうちの任意のインフラにおいて実現して良いことがわかる。したがって、本発明の範囲は、添付した特許請求の範囲を参照にして決定するべきである。
【図面の簡単な説明】
【図１】
ホテルの客室に対する高速データおよびインターネットアクセスの提供を、本発明の具体的な一実施形態にしたがって示したブロック図である。
【図２】
ホテルの客室に対して高速データおよびインターネットアクセスを提供するための方法を、本発明の具体的な一実施形態にしたがって示したフローチャートである。
【図３ａ】
図１の室内モジュールを、より詳細に示したブロック図である。
【図３ｂ】
図１のヘッドエンドモジュールを、より詳細に示したブロック図である。
【図４】
１対の導体上における半二重データと標準電話信号との統合を、本発明の具体的な一実施形態にしたがって示したブロック図である。
【図５】
ホテルの客室に対する高速データおよびインターネットアクセスの提供を、本発明の別の具体的な一実施形態にしたがって示したブロック図である。
【図６】
ホテルの客室に対する高速データおよびインターネットアクセスの提供を、本発明のさらに別の具体的な一実施形態にしたがって示したブロック図である。
【図７】
ネットワークアクセスの提供およびデータ伝送の選択処理を、本発明の具体的な一実施形態にしたがって示したフローチャートである。
【符号の説明】
１００…ホテルネットワーク
１０２…客室
１０４…室内モジュール（ＩＲＭ）
１０６…電話
１０８…利用客のラップトップコンピュータ
１１０…伝送回線
１１２…ヘッドエンド
１１６…ＭＤＦパンチダウンブロック
１１８…ＰＢＸパンチダウンブロック
１１９，１２１…フィルタ
１２０…ＰＢＸ
１２２…ＨＥＭパンチダウンブロック
１２４…ヘッドエンドモジュール（ＨＥＭ）
１２６…ＨＥＭポート
３０２，３０３…ＲＪ−１１ポート
３０４…イーサネットポート
３０６…ＵＳＢポート
３０７…データポート
３０８…伝送回路
３０９…プロセッサ
３１０…制御回路
３１１…制御システム
３１２…変換回路
３１４…ＲＦ伝送要素
３１６…ディスプレイ
３１８…ＬＥＤアレイ
３５２…マスタ中央演算処理装置（ＣＰＵ）
３５４…低速および中速のインターフェース
３５６…高速のインターフェース
３５８…マイクロプロセッサチップ
３６０…メモリ
３６２…マルチポート通信インターフェース
３６４…シリアル通信インターフェース
３６６…トークンリングインターフェース
３６８…ＦＤＤＩインターフェース
３７０…マルチポートイーサネットインターフェース
３７２…データ・制御・アドレスバス
３７４…高速データ・制御・アドレスバス
３７６…バスコントローラ
３７８…小さいブートＲＯＭ
３８０…大きいフラッシュＲＯＭ
５０２…チェーン
５０４…インターネット
５０６…ファイアウォール
６０２…ホテル
６０４…仮想プライベートネットワーク（ＶＰＮ）
６０６…インターネット
６０８…ＮＯＣサーバ
６１０…ファイアウォール
６１２…ＩＰを通したビデオ電話会議
６１４…ＩＰを通した音声通信
６１６…企業ホスト
６１８…プロパティ管理サービス
【図１】
2004510358.tif 000003
【図２】
2004510358.tif 000004
【図３ａ】
2004510358.tif 000005
【図３ｂ】
2004510358.tif 000006
【図４】
2004510358.tif 000007
【図５】
2004510358.tif 000008
【図６】
2004510358.tif 000009
【図７】
2004510358.tif 000010
【国際公開パンフレット】
2004510358.tif 000011
2004510358.tif 000012
2004510358.tif 000013
2004510358.tif 000014
2004510358.tif 000015
2004510358.tif 000016
2004510358.tif 000017
2004510358.tif 000018
2004510358.tif 000019
2004510358.tif 000020
2004510358.tif 000021
2004510358.tif 000022
2004510358.tif 000023
2004510358.tif 000024
2004510358.tif 000025
2004510358.tif 000026
2004510358.tif 000027
2004510358.tif 000028
2004510358.tif 000029
2004510358.tif 000030
2004510358.tif 000031
2004510358.tif 000032
2004510358.tif 000033
2004510358.tif 000034
2004510358.tif 000035
2004510358.tif 000036
2004510358.tif 000037
2004510358.tif 000038
2004510358.tif 000039
2004510358.tif 000040
2004510358.tif 000041
2004510358.tif 000042
2004510358.tif 000043
2004510358.tif 000044
2004510358.tif 000045
2004510358.tif 000046
2004510358.tif 000047
2004510358.tif 000048
2004510358.tif 000049
2004510358.tif 000050
2004510358.tif 000051
2004510358.tif 000052
2004510358.tif 000053
2004510358.tif 000054
2004510358.tif 000055
2004510358.tif 000056
2004510358.tif 000057
2004510358.tif 000058
2004510358.tif 000059
2004510358.tif 000060
2004510358.tif 000061
【国際調査報告】
2004510358.tif 000062
2004510358.tif 000063